(57)【特許請求の範囲】
【請求項１】
排水栓の開閉操作を操作ワイヤを介して手動または電動により行う操作部と、前記排水栓の開閉状態を保持するロック機構を備えた排水装置において、手動操作にて上下動する操作軸と、電動操作を前記操作軸の上下動に変換する動力変換手段を備え、前記操作軸と操作ワイヤを接続する連結軸との間に、動力変換手段の動作を連結軸に伝達する従動部材を揺動不能に挟持させるとともに、押下した連結軸を所定位置まで上動させる第１のばね部材を具備し、前記従動部材は、複数のガイド板を突設することにより動力変換手段と連結軸との間に揺動不能に取付けられることを特徴とする自動排水装置。
【請求項２】
前記従動部材は磁性部材を側面に備え、該磁性部材の磁力を検知する位置検出手段は、前記従動部材が所定位置に達したとき前記磁性部材と対向する位置に配置するとともに、前記ガイド板は、電動機の出力軸を挿通する切欠を備えて構成したことを特徴とする請求項１記載の自動排水装置。
【請求項３】
前記従動部材は磁性部材を上面に備え、該磁性部材の磁力を検知する位置検出手段は、前記従動部材が近接したときに前記磁性部材により作動する位置に配置するとともに、前記ガイド板は、電動機の出力軸を挿通する切欠を備えて構成したことを特徴とする請求項１記載の自動排水装置。
【請求項４】
前記動力変換手段は、操作軸を挿通して上下方向にのみ昇降滑動する被係合部材と、前記被係合部材の側面に穿設した横長な係合溝に横移動可能に係合するアーム部と、このアーム部を回転駆動して前記被係合部材を昇降させる電動機からなり、前記被係合部材は側面に縦方向に貫通した嵌合溝を備え、該嵌合溝にはケーシングに止着した筺体を上下動可能に嵌合させるとともに、該筺体内に前記磁性部材の磁力を検知する位置検出手段を配置し、前記従動部材が最上端に達したとき磁性部材と対向するように構成したことを特徴とする請求項３記載の自動排水装置。
【請求項５】
排水栓の開閉操作を操作ワイヤを介して手動または電動により行う操作部と、前記排水栓の開閉状態を保持するロック機構を備えた排水装置において、手動操作にて上下動する操作軸と、電動操作を前記操作軸の上下動に変換する動力変換手段を備え、前記動力変換手段と操作ワイヤを接続する連結軸との間に、動力変換手段の動作を連結軸に伝達する従動部材を揺動不能に挟持させるとともに、押下した連結軸を所定位置まで上動させる第１のばね部材を具備し、前記連結軸を押下する際、所定値以上の反抗力が連結軸に付加されたとき、前記連結軸と連動して押下するガイド筒と、前記ガイド筒を上方へ付勢する第２のばね部材を備えて構成したことを特徴とする自動排水装置。
【請求項６】
前記ガイド筒は、第２のばね部材との間にスペーサを介在させて構成させるとともに、前記スペーサはガイド筒、第２のばね部材および収容筒と滑動良好な材質より成ることを特徴とする請求項５記載の自動排水装置。
【請求項７】
前記動力変換手段は排水栓の上下動作長以上のストロークで操作軸を上下動可能に設定したことを特徴とする請求項５記載の自動排水装置。
【発明の詳細な説明】
【０００１】
【発明の属する技術分野】
本発明は、浴槽の排水口部に取付けられた排水栓を、手動と電動の両方で開閉操作できる自動排水装置の改良に関する。
【０００２】
【従来の技術】
従来、浴槽の排水口を開閉させる方法には、浴槽内槽面上部に掛止されたチェーンの他端に連接されたゴム栓などの栓体を排水口に抜き差しする方法や、浴槽上面に設けられたボタンの押動操作と、開栓および閉栓状態を保持するロック機構を備えた排水栓とを浴槽外側からワイヤなどで連動させて開閉を行なう方法などがある。とくに後者は入浴時や清掃時に邪魔となるチェーンやその掛止部が浴槽内に無いこと、ならびに閉栓の際、栓を排水口に差し込むために身体をかがませる必要がなく浴槽上面のボタンを指で押動するのみで開栓と閉栓が容易に行えることからその需要が増加してきている。
【０００３】
さらにその利便性を高めるため、浴槽上面のボタンの押動操作のみならず、浴室外からのスイッチ操作により電動機を作動させ、排水栓を開閉させる、浴槽用の自動排水装置の技術が、特開平１０−２１２７４７などをはじめ多数発明されている。
【０００４】
【発明が解決しようとする課題】
このような手動および電動の動作を両立させた自動排水装置を得るためには、浴槽上面のボタンの押動操作による動作と、電動機による動作の両方が排水栓と連動している連結軸へ伝達されることが必要である。しかしそのためには、構造が複雑になり、部品点数が多くなること、そして組立手順が複雑になることなどが問題であった。
【０００５】
一方、自動排水装置を構成する場合、従来から存在する、浴槽上面に設けられたボタンの押動操作と、開栓および閉栓状態を保持するロック機構を備えた排水栓とを浴槽外側からワイヤなどで連動させて開閉を行なう浴槽排水装置（以下、「既存の浴槽排水装置」という）の部品を多く流用し、電動機ならびにその動力変換手段やそれらを収容するケーシングなどの操作部（電動機周辺部品）のみを追加する方法が新作部品を最小限にとどめることができ、有効である。しかし、このような部品の流用は流用する部品の改良やコストダウンなどに伴う形状変更が発生した場合に、操作部（電動機周辺部品）の部品まで影響が及ぶことがあり、問題であった。
【０００６】
また、排水栓が踏みつけられるなど、何らかの過大な反抗力が排水栓にはたらいているときに開栓あるいは閉栓操作をしようとした場合、手動によるボタンの押動操作であれば、反抗力が操作者の手に伝わり、前記操作者は栓が踏みつけられているなどの異常を即座に感知できるため、操作を中断することができるが、電動機による開栓あるいは閉栓操作であれば、電動機またはその制御回路は該反抗力を感知できずに動作を継続し、動力伝達部品の破損もしくはモータ焼損などの故障をまねくおそれがあった。
【０００７】
さらに、排水の途中で排水栓を閉栓する場合、前記排水栓は閉栓の瞬間に排水流の圧力によって急激に閉栓する現象を起こす。この閉栓動作を電動にて行った場合、電動機による操作軸の上動速度よりも速い速度で、前記操作軸が操作ワイヤと連結軸を介して上動しようとするため、操作ワイヤ、被覆部材、電動機および動力変換手段などに過度な応力が加わり、被覆部材の変形による排水栓の動作不良や部品の破壊等の不具合を誘発するおそれがあった。
【０００８】
請求項１記載の自動排水装置は、排水栓の開閉操作を操作ワイヤを介して手動または電動により行う操作部と、前記排水栓の開栓状態を保持するロック機構を備えた排水装置において、手動操作にて上下動する操作軸と、電動操作を前記操作軸の上下動に変換する動力変換手段を備え、前記操作軸と操作ワイヤを接続する連結軸との間に、動力変換手段の動作を連結軸に伝達する従動部材を揺動不能に挟持させるとともに、押下した連結軸を所定位置まで上動させる第１のばね部材を具備し、かつ、従動部材に複数のガイド板を突設して、当該従動部材を動力変換手段と連結軸との間に揺動不能に挟持して構成した。
【００１０】
請求項２記載の自動排水装置は、請求項１記載の自動排水装置において、従動部材の側面に磁性部材を備え、該磁性部材の磁力を検知する位置検出手段は、前記従動部材が所定位置に達したとき磁性部材と対向する位置に配置するとともに、ガイド板の１つに電動機の出力軸を挿通する切欠を形成した。
【００１１】
請求項３記載の自動排水装置は、請求項１記載の自動排水装置において、従動部材の上面に磁性部材を備え、該磁性部材の磁力を検知する位置検出手段は前記従動部材が最上端に達したとき磁性部材を対向する位置に配置するとともに、ガイド板の１つに電動機の出力軸を挿通する切欠を形成した。
【００１２】
請求項４記載の自動排水装置は、請求項３記載の自動排水装置において、動力変換手段は操作軸を挿通して上下方向にのみ昇降滑動する被係合部材と、前記被係合部材の側面に穿設した横長な係合溝に横移動可能に係合するアーム部と、このアーム部を回転駆動して前記被係合部材を昇降させる電動機からなり、前記被係合部材は側面に縦方向に貫通した嵌合溝を備え、該嵌合溝には、ケーシングに止着した筺体を上下動可能に嵌合させるとともに、該筺体内に前記磁性部材の磁力を検知する位置検出手段を配置し、前記従動部材が最上端に達したとき磁性部材と対向するように構成した。
【００１３】
請求項５記載の自動排水装置は、排水栓の開閉操作を操作ワイヤを介して手動または電動により行う操作部と、前記排水栓の開栓状態を保持するロック機構を備えた排水装置において、手動操作にて上下動する操作軸と、電動操作を前記操作軸の上下動に変換する動力変換手段を備え、前記動力変換手段と操作ワイヤを接続する連結軸との間に、動力変換手段の動作を連結軸に伝達する従動部材を揺動不能に挟持させるとともに、押下した連結軸を所定位置まで上動させる第１のばね部材を具備し、かつ、前記連結軸を押下する際、所定値以上の反抗力が連結軸に付加されたとき、前記連結軸と連動してガイド筒と、前記ガイド筒を上方へ付勢する第２のばね部材を備えて構成した。
【００１４】
請求項６記載の自動排水装置は、請求項５記載の自動排水装置において、ガイド筒と第２のばね部材との間にスペーサを介在させて構成するとともに、前記スペーサはガイド筒、第２のばね部材および収容筒と滑動良好な材質よりなるように構成した。
【００１５】
請求項７記載の自動排水装置は、請求項５記載の自動排水装置において、動力変換手段を排水栓の上下動作長以上のストロークで操作軸を上下動可能に設定した。
【００１６】
【発明の実施の形態】
以下、本発明の実施の形態を図１ないし図１５により説明する。図１は本発明よりなる浴槽用の自動排水装置Ａの実施例について示すもので、前記自動排水装置Ａは、浴槽９のリム部の最上縁９ａに取付けられて、浴槽９の底面９ｂに設けられた排水栓１０を自由に開閉操作する操作部１１と、浴槽９の底面９ｂ下側の空所に設置されて、前記排水栓１０の開栓状態を保持するロック機構１２と、前記操作部１１とロック機構１２とを連動する長さ方向に剛性を有する操作ワイヤ１３とによって概略構成されている。
【００１７】
また、図１で示す１４は、浴槽９の外槽側において、操作部１１とロック機構１２とを連接する操作ワイヤ１３を挿通保持するために配設した挿通管で、その上方端は操作部１１の下方端に連結し（図示せず）、下方端は浴槽９の排水口１５と連通する排水管１６に連接されている。また、前記自動排水装置Ａを構成するロック機構１２は、前記排水管１６内において、浴槽９の底面９ｂ下側に止ねじ等の固定手段を用いて止着されており、操作部１１により排水栓１０が開栓されたとき、その開栓状態を保持するよう構成されている。
【００１８】
つづいて、前記操作部１１の構造を図２により説明する。図２は前記操作部１１の要部切欠断面図を示し、１７は浴槽９のリム部最上縁９ａに穿孔した嵌込孔１８に嵌込まれ、内周側に手動操作用の押ボタン１９（以下、手動ボタンと記載する）を上下動可能に取付けた有底筒状の案内筒で、この案内筒１７の底面中央には、前記手動ボタン１９に連結した操作軸２０を挿通する軸通孔１７ａが開口している。
【００１９】
そして、前記案内筒１７には、浴槽９のリム部最上縁９ａを、案内筒１７の掛止片１７ｂとの間で挟持した状態で収容筒２１がねじ止されており、この収容筒２１の側面には、電動機３４を収容した駆動部収容筐２３が、図５に示すように、締付ねじ２４により締着保持されている。
【００２０】
前記収容筒２１の下端狭隘部２１ａには、これに例えば、ねじ込みにより螺着された有底筒状の袋ナット２５底面との間で、ガイド筒２６が所定弾性力を備えた第２のばね部材２７によって、円板部２６ａを収容筒２１の張出部２１ｂ下面に当接させて取付けられている。
【００２１】
前記袋ナット２５の底面中央には、前記ガイド筒２６の筒部２６ｂ下端に螺合される被覆部材２９が挿通する挿通孔３０が穿設され、前記被覆部材２９の孔部２９ａから前記ガイド筒２６内に引込まれる操作ワイヤ１３は、第１のばね部材３１を介して連結軸３２の傘部３２ａ先端に圧着固定されている。なお、前記ばね部材２７は、袋ナット２５の挿通孔３０に内側に向けて突設した突出片２５ａにより、前記袋ナット２５内から外れることを確実に防止している。
【００２２】
前記連結軸３２はガイド筒２６の筒部２６ｂ内から、その上端を収容筒２１内に進入させて取付けられ、前記連結軸３２の上端は収容筒２１内に備えた従動部材３３の下面に当接され、該従動部材３３を操作軸２０との間で揺動不能に挟持している。このとき前記操作軸２０と連結軸３２は、従動部材３３が収容筒２１内で揺動しない程度の充分な接触面積を有する断面形状（例えば、円形状）で構成することができる。また、新設部品を少なくする上で、前記ガイド筒２６、連結軸３２、操作ワイヤ１３、被覆部材２９およびこれより排水栓側の部品（ロック機構１２を含む）は、既存の浴槽排水装置の部品から流用することが望ましい。
【００２３】
図３は前記従動部材３３を示す概略構成図であり、同図（ａ）は前記従動部材３３を図２に示すＹ−Ｙ矢視方向より示した図である。また、同図（ｂ）は従動部材３３の外観を示す斜視図である。図３（ａ）、（ｂ）に示すように前記従動部材３３は円板上の台座３３ａと、前記台座３３ａ上に複数（任意数）起立して備えたガイド板３３ｂ、および、前記ガイド板のうち図２に示す電動機３４の出力軸３５が挿通する切欠３６ａを備えた回転防止ガイド板３６から構成されている。
【００２４】
また、前記従動部材３３の台座３３ａには、前記回転防止ガイド板３６の基端下側に所定の磁気力を備えた永久磁石などの磁性部材３７が取付けられ、図２に示すように前記ガイド板３３ｂを収容筒２１の内壁面と後述する被係合部材間の隙間を沿うようにして、操作軸２０と連結軸３２の間に揺動不能に挟持されている。
【００２５】
前記従動部材３３の上方には、電動機３４の回転を減速機構を介して出力する出力軸３５の回転運動を、前記操作軸２０の上下運動に変換するための動力変換手段３８が取付けられており、３９は操作軸２０下端近傍に固定した止輪４０を下面に穿設した凹溝３９ａに嵌込した被係合部材である。
【００２６】
つづいて、前記動力変換手段３８の構成を図４により説明する。図４は前記動力変換手段３８を、図２のＹ−Ｙ’矢視方向から示す図であり、図４（ａ）で示す３９は、操作軸２０に沿って上下方向に所定の距離滑動するよう取付けた被係合部材である。この被係合部材３９の一側面（図２の電動機３４が位置する方向の側面）には、電動機３４の出力軸３５先端に嵌着した、係合部材４１のアーム部４１ａ（係合部材４１は、円柱状のアーム部４１ａと、出力軸３５先端に形成した鍵突起３５ａを嵌合固定する鍵溝４１ｃを備えた、例えば、長円状の支持部４１ｂとによって構成する）が係合する係合溝４２が穿設され、この係合溝４２は図４（ａ）に示すように、その横幅寸法を電動機３４の出力軸３５の軸中心とアーム部４１ａの軸中心間距離（図４（ａ）のＸ）とアーム部４１ａを成す円柱の半径ｒの和の２倍以上の長さ寸法を有して形成されている。つまり、２（Ｘ＋ｒ）≦（係合溝幅）の関係が成立するように形成されている。
【００２７】
そして、前記被係合部材３９の下面には、操作軸２０の下端近傍に止着した止輪４０が嵌合される凹溝３９ａが穿設され、前記被係合部材３９は通常時、前記止輪４０に凹溝３９ａを乗載した状態で操作軸２０上に支持されている。
【００２８】
図４（ｂ）は、前記動力変換手段３８を図２のＺ−Ｚ’矢視方向から示す図であり、電動機３４の出力軸３５の先端には、前記のように係合部材４１の基部を構成する長円状の支持部４１ｂが、鍵溝４１ｃを出力軸３５の鍵突起３５ａに嵌着して固定され、前記支持部４１ｂに垂設するアーム部４１ａは、その先端を被係合部材３９の係合溝４２の底面４２ａと当接しない位置で前記係合溝４２に沿って横方向に滑動可能に係合されている。
【００２９】
また、前記係合部材４１を嵌着する出力軸３５は、前記従動部材の台座３３ａに起立して備えられた回転防止ガイド板３６の切欠３６ａを挿通するため、従動部材３３の回転運動が阻止される。そして、前記被係合部材３９は、ガイド板３３ｂおよび回転防止ガイド板３６の存在により、収容筒２１内をガタツクことなく、良好に上下動できる。
【００３０】
なお、図２に示す４３は、例えば、収容筒２１の下段部に取付けられて、磁性部材３７の磁気力に反応してスイッチング動作する、リードスイッチ等の位置検出手段であり、例えば、排水栓の位置検出信号を後述の図１４に示す浴槽９から離れた場所に設置した操作パネルの開閉表示手段に表示させることにより、排水栓１０の開閉状態を容易に把握することができる。なお、前記位置検出手段の取付位置は前記収容筒２１の下段部に限らず、磁性部材３７の磁気力を検知してスイッチング動作することにより、排水栓１０の開閉状態を認識できる位置であればどこでも良い。
【００３１】
次に、前記操作部１１を組立てる場合について説明する。最初に、収容筒２１の下端狭隘部２１ａの上部にある張出部２１ｂの下面に、ガイド筒２６の円板部２６ａを当接させる。そのときガイド筒２６は、あらかじめ、上から前記第２のばね部材２７、袋ナット２５に開口した挿通孔３０の順に挿通した状態で取付けられる。この状態で袋ナット２５を収容筒２１の下端狭隘部２１ａの外周面に設けられたねじ部と螺着させることにより、円板部２６ａと袋ナット２５に挟まれた第２のばね部材２７が圧縮され、収容筒２６は張出部２１ｂに向かって所定の力で押しつけられる。
【００３２】
このとき、図１２に示すように、前記第２のばね部材２７とガイド筒２６の円板部２６ａとの間に、円板部２６ａ、第２のばね部材２７および収容筒２１の下端狭隘部２１ａの内面と滑動良好な材質（例えば、ポリオキシメチレンやポリプロピレン）よりなるスペーサ６５を介することにより、前記袋ナット２５は収容筒２１の下端狭隘部２１ａに、操作ワイヤ１３および第２のばね部材２７のねじれを生じることなく、良好に螺着することができる。
【００３３】
なお、前記ガイド筒２６の円板部２６ａと収容筒２１の張出部２１ｂとの間に予めストロークを調整するためのライナ６４（図１２参照）を具備しておくと、経年使用でのワイヤ１３の摩耗や被覆部材２９の伸びなどにより排水栓１０のロック機構１２を作動させるためのストロークに不足が発生した際、該ライナ６４を取り去るだけでストローク不足を解消することができる。これにより、ワイヤ１３の交換といった工事が不要となり、メンテナンス性が向上する。
【００３４】
一方、前記収容筒２１内に進入した連結軸３２の上面には、収容筒２１の上端開口部から収容筒２１内に取入れた従動部材３３が、ガイド板３３ｂを上方へ向けた状態で載置される。また、同じく収容筒２１の上端開口部より進入し、上端に手動ボタン１９を止着し、下端に前記被係合部材３９を挿通した操作軸２０が、被係合部材３９の凹溝３９ａに止輪４０を嵌合した状態で前記従動部材３３の上面に載置される。これにより、前記従動部材３３はそれぞれ充分な接触面積を備えた操作軸２０と連結軸３２の間に揺動不能に挟持される。
【００３５】
このとき前記被係合部材３９は係合溝４２に係合部材４１のアーム部４１ａを係合させる。一方、前記係合部材４１の支持部４１ｂは、収容筒２１の側面に穿設された挿通孔４４の駆動部収容筐２３側から挿入された出力軸３５の一端と嵌合され、前記出力軸３５は挿通孔４４の内面とＯリング３５ｂによって防水される。
【００３６】
前記出力軸３５の駆動部収容筐２３側の突出端には電動機３４が連動可能に取付けられ、該電動機３４を収容筒２１の側面に固定ねじ４５にて締付固定することにより、前記出力軸３５は被係合部材３９ならびに係合部材４１と電動機３４の間に位置することとなり、出力軸３５および係合部材４１は収容筒２１内で脱落することなく保持される。また、被係合部材３９は操作軸２０上に係合部材４１のアーム部４１ａに支持されて取付けられる。
【００３７】
前記収容筒２１の側面には、前記電動機３４の外側から電動機３４を収容するための駆動部収容筐２３をパッキン４６を介して当接し、この状態で図５に示すように、締付ねじ２４を用いて収容筒２１に設けられた取付け孔に止着することにより、電動機３４を防水構造で被覆する。
【００３８】
そして、前記収容筒２１を浴槽９のリム部最上縁９ａに形成した嵌込孔１８の下側から緩衝および防水用のパッキン４７を介して当接し、外周に雄ねじを形成した案内筒１７を前記嵌込孔１８を挿通して、収容筒２１の上部内面に形成した雌ねじ部に螺合することにより、収容筒２１は浴槽９のリム部最上縁９ａに取付けられる。
【００３９】
このように収容筒２１を浴槽９へ取付けることにより、本発明の自動排水装置Ａにおける操作部１１は組立を完了する。なお、図２に示す磁性部材３７と位置検出手段４３は、前記操作部１１を組立てる際、予め従動部材３３と収容筒２１の下段部に各々取付けておくものとする。
【００４０】
次に、図７に示す排水栓１０のロック機構１２の構造について説明する。図７において４８は排水管１６内に遊合されて、止ねじ４９により排水管１６とともに浴槽９の底面９ｂに固定された本体筒である。また、５０は前記本体筒４８の内壁面軸方向に沿って、かつ周方向に複数条形成されたガイド片である。５１は一端を排水栓１０に止着し、他端は排水口１５を通して本体筒４８内に遊嵌した軸杆である。５２は前記軸杆５１の下部を中空状に穿設した押動孔で、この押動孔５２の上端には、本体筒４８下端開口から挿入した操作ワイヤ１３の先端が当接している。
【００４１】
５３は前記軸杆５１の下部外周に一体的に固定した止着環である。５４は前記止着環５３の上方にて前記軸杆５１に対して回転および上下動可能に取付けた可動環である。５３ａ、５４ａは前記止着環５３と可動環５４の外周側にそれぞれ形成されて、前記ガイド片５０に嵌合保持される突片を示し、また、５３ｂ、５４ｂは止着環５３の上端と可動環５４の下端にそれぞれ噛合可能に形成した鋸刃状の噛合歯である。５０ｂは前記ガイド片５０の上端に形成した鋸刃状の噛合歯である。
【００４２】
５５は前記軸杆５１の胴央（可動環４７の上方近傍）に突設した鍔片で、この鍔片５５と浴槽９底面９ｂとの間には、前記排水栓１０が開栓したとき、これを閉塞する方向に付勢するばね部材５６が介挿されて、ロック機構１２は構成されている。なお、図７，８に示す６６は、前記排水口１５と排水管１６間を連通させる通水孔である
【００４３】
つづいて、前記操作部１１の動作について説明する。まず、前記操作部１１を電動により駆動して図７に示す排水栓１０を開操作する場合、自動排水装置Ａの操作部１１が図２の状態にあるとき、即ち、手動ボタン１９の上面と案内筒１７の掛止片１７ｂの上面とが一致しているとき。浴槽９の底面９ｂにある排水栓１０は図７に示すような閉栓状態にある。この状態で、図２に示す操作部１１の電動機３４を駆動すると、前記電動機３４は内部に収納した図示しない減速歯車からなる減速機構を介して出力軸３５をゆっくりと回転させる。
【００４４】
前記出力軸３５の回転駆動によって、出力軸３５の先端に嵌合された係合部材４１は、そのアーム部４１ａを出力軸３５の軸心回りに回転させ、図４（ａ）に示す被係合部材３９の係合溝４２の下面４２ｂに接触し、かつ、係合溝４２内を図４（ａ）の右方向もしくは左方向に移動することにより、前記被係合部材３９を下方へ下降させる。
【００４５】
前記被係合部材３９が下方へ下降すると、前記被係合部材３９の下端と当接した従動部材３３は連結軸３２を下方へ押下げる。このとき、前記操作軸２０と連結軸３２は従動部材３２を挟んで直線的に配置されるため、操作軸２０を挿通する被係合部材３９の下降は良好に連結軸３２に伝達することができるとともに、前記連結軸３２は従動部材３３と充分な接触面積で当接しているため、繰返使用により前記連結軸３２に多少のガタやグラツキが生じても、問題なく従動部材３３との間で動力を伝達することができる。
【００４６】
その際、前記従動部材３３にはＵ字状の切欠３６ａに電動機３４の出力軸３５を挿通した回転防止ガイド板３６が取付けられているため、前記従動部材３３は横方向の回転が制限された状態で下降動作することができる。すなわち、前記従動部材３３に取付けた磁性部材３７は下降した際、必然的に位置検出手段４３の正面に位置するように構成されている。
【００４７】
連結軸３２が下降すると、傘部３２ａに圧着固定した操作ワイヤ１３はガイド筒２６より押出され、浴槽９のリム部内に配管した挿通管１４（図７参照）内を通って、図７に示すロック機構１２の軸杆５１をばね部材５６の付勢力に抗して押上げる。これにより、排水栓１０は図８に示す２点鎖線の位置まで上動するが、前記軸杆５１が押上げられる過程において、これに固定される止着環５３は、鋸刃状の噛合歯５３ｂが可動環５４の噛合歯５４ｂに当接し、突片５３ａ、５４ａが本体筒４８内壁に形成したガイド片５０に嵌合されていることにより、回転することなく軸杆５１とともに上方へ押上げられる。
【００４８】
前記軸杆５１および排水栓１０が図８に示す２点鎖線の位置まで上動すると、可動環５４の突片５４ａはガイド片５０から開放されて回転可能となり、止着環５３の噛合歯５３ｂ上を滑動して、軸杆５１を中心として微少角度回動する。一方、図６に示すように出力軸３５が図２の位相に対して１回転すると、出力軸３５に嵌合した係合部材４１のアーム部４１ａは、図４（ａ）に示す係合溝４２の上面４２ｃに衝接して、被係合部材３９を図９に示す位置まで上動させる。
【００４９】
この結果、前記連結軸３２は、被係合部材３９下端と従動部材３３との当接が解けることにより、下方への押下力がなくなるため、傘部３２ａに衝接している第１のばね部材３１の付勢力により上動し、操作ワイヤ１３の押下動作を終了する。前記操作ワイヤ１３の押下動作が終了すると、図８に示す排水栓１０および軸杆５１は、自重とばね部材５６の付勢力によって下降する。
【００５０】
然るに、前記排水栓１０および軸杆５１が図８に示す２点鎖線の位置から実線で示す位置まで下降すると、軸杆５１に対して微少角度回動した可動環５４の噛合歯５４ｂがガイド片５０に形成した噛合歯５０ｂ上に係合される。結果、軸杆５１がさらに下降しようとしても、可動環５４の上端に軸杆５１に突設した鍔片５５が受止められ、軸杆５１、排水栓１０が下降するのを阻止して排水栓１０の開栓状態を保持する。
【００５１】
前記排水栓１０が開栓保持された状態では、図９に示す手動ボタン１９と操作軸２０、従動部材３３、連結軸３２は、第１のばね部材３１により押上げられる位置、即ち、第１のばね部材３１の付勢力と手動ボタン１９、操作軸２０および従動部材３３、連結軸３２の自重とが釣合う位置まで上動して停止する。
【００５２】
このとき、前記被係合部材３９は、排水栓１０を開栓するために１回転した出力軸３５の動きと連動して、図２に示す初期位置（排水栓１０が閉栓状態にある位置）と同位置（図９に示す位置）まで上動しているが、手動ボタン１９は被係合部材３９が操作軸２０上を滑動して上昇するため、図６に示す最大押下位置から図９に示すやや上昇した位置（第１のばね部材３１によって上動される位置）で停止することとなる。したがって操作者は前記手動ボタン１９の凹み状態より排水栓１０が開栓されていることを容易かつ確実に認識することができる。
【００５３】
次に、前記排水栓１０を電動操作により閉栓させる際は、再度、図９において電動機３４を駆動すると、電動機３４は、前述した排水栓１０の開栓動作と同様に、出力軸３５を回転して係合部材４１のアーム部４１ａにより被係合部材３９を下降させる（図６参照）。この結果、再び前記操作ワイヤ１３が押動されて軸杆５１が上昇し、図８に示す排水栓１０は、実線で示す位置から２点鎖線で示す位置まで再び上動する。
【００５４】
そして、前記軸杆５１が上昇するのに伴い、軸杆５１に固定された止着環５３が可動環５４を衝接しながら押し上げる。すると、開栓保持時にガイド片５０の上端と係合状態にあった可動環５４は、鋸刃状に形成した噛合歯５４ｂがガイド片５０の噛合歯５０ｂから開放されて回転可能となり、止着環５３の噛合歯５３ｂ上を滑動して、軸杆５１を中心として微少角度回転し、ガイド片５０との係合状態が解除される。
【００５５】
つづいて、図６に示す電動機３４の出力軸３５が１回転して被係合部材３９を図２に示す初期位置に復帰させると、図８に示すように、可動環５４は、鋸刃状に形成した噛合歯５４ｂがガイド片５０上端の噛合歯５０ｂ上を滑落することにより、軸杆５１を中心としてさらに微少角度回転する。すると、排水栓１０と軸杆５１は、その自重ならびにばね部材５６の付勢力により、止着環５３と可動環５４の各々の突片５３ａ、５４ａをガイド片５０に沿わせた状態で降下する。
【００５６】
この一連の動作によって、前記排水栓１０は図８に２点鎖線で示す位置から図７に示す原位置まで下降し、排水口１５を閉塞する。前記排水栓１０が閉栓されると、軸杆５１の押動孔５２内に挿入した操作ワイヤ１３は、前記押動孔５２の上端面により下方へ押出される状態で作動し、浴槽９リム部内の挿通管１４内を介して図２に示す連結軸３２の傘部３２ａを押上げる。
【００５７】
この操作ワイヤ１３による押上力と第１のばね部材３１の付勢力によって、前記連結軸３２は従動部材３３および操作軸２０を介して、手動ボタン１９をその上面が案内筒１７の掛止片１７ｂ上面とほぼ一致する高さまで復帰させることができるため、操作者は、排水栓１０が閉栓状態にあることを容易かつ確実に認識することができる。
【００５８】
以上説明したように、本発明の排水装置は、電動で排水栓１０を開閉操作する場合、操作者は操作部１１の電動機３４を駆動して、出力軸３５を１回転させることにより、排水栓１０の開栓と閉栓を確実かつ容易に切換えることができる。また、前記排水栓１０の開栓時、手動ボタン１９は案内筒１７内の深所に位置し、排水栓１０の閉栓時は案内筒１７の掛止片１７ｂ上面と手動ボタン１９の上面がほぼ一致する高さに位置するため、操作者は排水栓１０の開閉栓状態を手動ボタン１９の位置状況により容易かつ確実に認識することができる。
【００５９】
つづいて、図２に示す操作部１１によって排水栓１０を手動で開閉操作する場合について説明する。図２に示す操作部１１の手動ボタン１９を図１０に示すように押下すると、前記手動ボタン１９と止着した操作軸２０は、被係合部材３９の挿通孔３９ｂを滑動し、従動部材３３を介して連結軸３２を下方へ押下げる。この押下動作により、連結軸３２は操作ワイヤ１３を第１のばね部材３１の付勢力に抗して、図７に示す排水栓１０のロック機構１２側へ押動する。
【００６０】
操作ワイヤ１３の押動によって前記ロック機構１２は、軸杆５１を図８の２点鎖線で示す位置まで押上げる。この際、前記したように、可動環５４が突片５４ａをガイド片５０から解放することにより軸杆５１を中心として微少角度回動し、ガイド片５０の上端に形成された噛合歯５０ｂに係合される。
【００６１】
これにより、操作者が図１０に示す手動ボタン１９から手を離して、操作ワイヤ１３がロック機構１２側に押出されなくなっても、前記排水栓１０は図８に２点鎖線で示す位置から実線で示す位置まで下降するものの、軸杆５１の鍔片５５が前記可動環５４の上端に衝接しているため、これよりも下降はせず、良好に開栓状態を保持できる。
【００６２】
そして、操作者が手動ボタン１９から手を離すと、図１０に示す連結軸３２は下方への押動力がなくなるため、連結軸３２の傘部３２ａに当接する第１のばね部材３１の付勢力と手動ボタン１９、操作軸２０、従動部材３３および連結軸３２の自重とが釣合う位置（図１０に示す位置から図９に示す位置）まで上動して停止する。その結果、手動ボタン１９は図１０に示す最大押下位置からやや上昇した位置（図９参照）にて停止し、操作者は前記手動ボタン１９を視認することで排水栓１０の開栓状態を認識できる。
【００６３】
つづいて、前記のごとく手動開栓した排水栓１０を手動により閉栓する際は、再度、図９の位置にある手動ボタン１９を押動することにより、操作軸２０および従動部材３３を介して連結軸３２先端の傘部３２ａに圧着した操作ワイヤ１３を、図８に示す排水栓１０のロック機構１２側へ押出する。
【００６４】
前記ロック機構１２側に押出された操作ワイヤ１３は、軸杆５１の押動孔５２の上端面に衝接してこれを上方へ押動し、排水栓１０を図８に２点鎖線で示す位置まで押上げる。このとき、排水栓１０の開栓保持状態において係合していた可動環５４とカイド片５０との係合が解かれ、前記排水栓１０と軸杆５１は、自重とばね部材５６の付勢力によって下方へ押下げられ、前記排水口１５は排水栓１０により閉塞される。
【００６５】
すると、前記排水栓１０の閉栓動作にともない軸杆５１の押動孔５２上端面に当接する操作ワイヤ１３は、図１０に示す操作部１１側へ押し返されて、第１のばね部材３１とともに連結軸３２を上方へ押し上げる。この連結軸３２の上動により、手動ボタン１９は、従動部材３３ならびに操作軸２０を介して図２に示す案内筒１７の掛止片１７ｂの上面とほぼ一致する位置に復帰する。
【００６６】
つまり、本発明の自動排水装置Ａにおいて、排水栓１０を手動操作によって開閉する場合、操作者は浴槽９のリム部最上縁９ａに設置した手動ボタン１９を押動操作することにより、排水栓１０の開栓および閉栓状態を順次切換えることができる。また、前記排水栓１０の開閉操作において、例えば、電動により開栓した排水栓１０を手動により閉栓したり、逆に手動で開栓した排水栓１０を電動操作により閉栓するようにしてもよいことは言うまでもない。
【００６７】
次に、前述の如く電動または手動により排水栓１０を開栓する際、前記排水栓１０に何らかの過大な荷重（排水栓１０の上から踏みつけたれた場合等）が加わっているときの前記操作部１１の動作について説明する。
【００６８】
前記排水栓１０に過大な荷重が加わっているときに、電動もしくは手動により操作軸２０を下方へ押下げた場合、連結軸３２の傘部３２ａに圧着固定した操作ワイヤ１３は、前記過大な荷重の影響により排水栓１０を開栓することができないため、ガイド筒２６の筒部２６ｂ内から前記操作ワイヤ１３を良好に外部へ導出することができず、前記筒部２６ｂ内もしくは被覆部材２９の孔部２９ａ内において捩れを生じさせてしまう。
【００６９】
この操作ワイヤ１３の捩れは、前記操作ワイヤ１３と被覆部材２９の孔部２９ａ内壁間に摩擦を生じ、ガイド筒２６を図１１に示すように第２のばね部材２７の付勢力に抗して、一体的に螺着した被覆部材２９とともに下方へ押下げする。つまり、排水栓１０に加わる過大な加重が第２のばね部材２７の上方への付勢力より大である場合、前記ガイド筒２６は連結軸３２の押下と連動して下方へ押動される。
【００７０】
これにより、前記連結軸３２は筒部２６ｂおよび被覆部材２９の孔部２９ａ内の操作ワイヤ１３をこれ以上捩れさせることなく、出力軸３５の回転に伴い操作軸２０を下方へ良好に移動させることができる。したがって、前記出力軸３５と連動する電動機３４内の減速機構は、前記過大な加重の影響によりこれを破損したり不具合を生じるといったことは全くなく、操作部１１の耐久性および信頼性を向上することができる。
【００７１】
また、排水の途中で排水栓１０を閉栓する場合、排水栓１０は閉栓の瞬間に排水流の圧力によって急激に閉栓する現象を起こす。この閉栓動作を電動にて行った場合、電動機３４による操作軸２０の上動速度よりも速い速度で、操作軸２０が操作ワイヤ１３と連結軸３２を介して上動しようとするため、操作ワイヤ１３、被覆部材２９、電動機３４および動力変換手段３８などに過度な応力が加わり、被覆部材２９の変形による排水栓の動作不良や部品の破壊等の不具合を誘発する恐れがあった。
【００７２】
然るに、本発明の自動排水装置は、排水栓１０の急激な閉栓動作とこれよりも速い操作軸２０の上動により、前記操作軸２０との間に連結軸３２を介して接続される操作ワイヤ１３は、被覆部材２９の孔部２９ａ内で捩れを生じ、この捩れにより前記操作ワイヤ１３は前記被覆部材２９の孔部２９ａ内壁間に摩擦を生じさせる。
【００７３】
すると、前記操作ワイヤ１３と孔部２９ａ内壁間の摩擦力によって、図１１に示すガイド筒２６は第２のばね部材２７の付勢力に抗して、一体的に螺着した被覆部材２９とともに下方へ降下する。これにより、前記操作ワイヤ１３は操作軸２０を電動機３４による上動速度を超えて上動させることはなく、電動機３４や被係合部材３９等の動力変換手段３８を破損することなく、良好に動作させることができる。
【００７４】
なお、前記ガイド筒２６の円板部２６ａと袋ナット２５の底面間に取付けた第２のばね部材２７は、電動機３４による動力変換手段３８の最大昇降動力および破壊荷重よりも小さく、かつ浴槽９を満水にしたときの排水栓１０の開栓に要する力以上の付勢力を備えたものを利用することとし、前記操作ワイヤ１３と被覆部材２９の孔部２９ａ内壁は、両者間に所定の摩擦力が生じる材質にて構成するものとする。
【００７５】
このように、本発明の自動排水装置における操作部１１は、排水栓１０に不要な加重が加わった状態で操作軸２０を押下操作したとき、および排水途中で排水栓１０を閉栓した時に、装置１１が故障したり、不具合が生じることを確実に回避できる手段を備えて構成されているため、安全性ならびに信頼性の高い排水栓開閉装置を提供することができる。
【００７６】
図１２は本発明の他の実施例における排水装置Ａの操作部１１を示す縦断面図である。なお、図１２において、図２に示す操作部１１と同一部品は同一符号を付して説明を省略する。
【００７７】
図１２において、５７は収容筒２１の側面（電動機３４と対向する側）に穿設した取付孔であり、５８は前記取付孔５７の縁部に筐体鍔片５８ａを係止して嵌込固定される有底角筒状の筐体である。
【００７８】
３９ｂは図２に示す被係合部材３９と同様に、係合部材４１のアーム部４１ａを係合溝４２に係合した状態で、操作軸２０上を上下方向に所定の距離滑動可能に構成した被係合部材である。そして前記被係合部材３９ｂの側面には縦方向に貫通した嵌合溝５９が形成され、前記嵌合溝５９には筐体５８の底部を嵌込むことにより、前記被係合部材３９ｂは回動が抑制された状態で上下動可能に取付けられる。
【００７９】
図１２において、３７ａは従動部材３３の上面において筐体５８の下端に衝接可能な位置に嵌着された磁性部材であり、４３ａは前記筐体５８内の前記磁性部材３７ａと対向する位置に配置され、前記磁性部材３７ａが接近した際に磁気力に反応してスイッチング動作する、リードスイッチ等の位置検出手段である。
【００８０】
図１３は前記被係合部材３９ｂと筐体５８および係合部材４１との係合状態を図１２に示すＺ−Ｚ’矢視方向から示した図である。図１３に示すように、被係合部材３９ｂは嵌合溝５９に筐体５８の底部を嵌込むことによりその回動が抑制され、操作軸２０上を上下動する。なお、被係合部材３９ｂの下方に位置する従動部材３３は上方へ向けて突設した回転防止ガイド板３６の切欠３６ａに電動機３４の出力軸３５を挿通することによって、回動することが抑制される。
【００８１】
前記図１２に示す操作部１１の組立順序としては、図２に示す操作部１１の組立手順とほぼ同一であるが、異なる手順としては収容筒２１の取付孔５７に予め筐体５８を嵌着しておき、収容筒２１の上端開口部より手動ボタン１９を止着した操作軸２０を進入させる際、前記操作軸２０を挿通した被係合部材３９ｂの嵌合溝５９に前記筐体５８の底部を嵌込むようにした点である。その他の手順は図２に示す操作部１１の組立と同一であるため、ここでは割愛する。
【００８２】
つづいて、前記図１２に示す操作部１１動作であるが、排水栓１０の開・閉栓する動作については手動・電動問わず、図２に示す操作部１１の動作と同一であるが、手動・電動により被係合部材３９ａが上下動する際、前記被係合部材３９ｂは嵌合溝５９に筐体５８が嵌込まれているため、回動が抑制され良好に操作軸２０上を上下動することができる。
【００８３】
この結果、前記被係合部材３９ｂの係合溝４２には、係合部材４１のアーム部４１ａが的確に係合した状態を常時維持することができ、電動機３４の出力軸３５の回転運動を連結軸３２の上下運動に確実に変換することができる。また、被係合部材３９ｂのガタツキが解消されるため、被係合部材３９ｂを動作させるときに生じる騒音をなくすことができる。
【００８４】
図１４は本発明の自動排水装置Ａを制御する制御装置を示し、図１４において、６０は例えば、浴室の壁面に設置されて、浴槽９への給・排水を指示するスイッチ６０ａ、６０ｂを備えた操作パネルを示し、また、６１は電動機３４と排水栓１０の位置検出手段４３および操作パネル６０を制御するためのコントローラで、６２は電動機３４およびコントローラ６１に電力を供給する電源である。
【００８５】
そして、今、排水栓１０が開栓した状態にあるとき、操作部１１の従動部材３３は図６に示すように案内筒１７の深所に位置しているため、前記従動部材３３に取付けた磁性部材３７の磁束は位置検出手段４３を良好に通過する。例えば、位置検出手段４３がリードスイッチである場合、位置検出手段４３は投入状態となる。この状態で前記操作パネル６０の給水スイッチ６０ａを投入すると、コントローラ６１はリードスイッチの投入状態より排水栓１０が開栓状態にあることを認識し、図１５に示すデータテーブルにしたがって電動機３４の出力軸３５を１回転することにより、排水栓１０を閉栓し、浴槽９に給水を行なう。
【００８６】
また、前記排水栓１０が閉栓状態にあるとき、操作部１１の従動部材３３は図２に示す案内筒１７内の上面に位置しているため、前記従動部材３３に取付けた磁性部材３７の磁束は位置検出手段４３を通過せず、リードスイッチは投入状態にない。この状態で前記操作パネル６０の給水スイッチ６０ａが投入されると、コントローラ６１はリードスイッチの開放状態より排水栓１０が閉栓状態にあることを認識し、図１５に示すデータテーブルにしたがって電動機３４を駆動することなく、排水栓１０の閉栓状態を維持したまま、浴槽９に給水を行なう。
【００８７】
さらに、前記排水栓１０が閉栓状態にあるときに、排水スイッチ６０ｂが投入された場合、コントローラ６１はリードスイッチの開放状態より排水栓１０の閉栓を認識し、排水のために電動機３４の出力軸３５を１回転させて排水栓１０を開栓して、浴槽９内の排水を行なう。
【００８８】
また、前記排水栓１０が開栓した状態にあるときに、排水スイッチ６０ｂが投入された場合、コントローラ６１はリードスイッチの投入状態より排水栓１０の開栓を認識し、電動機３４を駆動することなく、排水栓１０の開栓状態を維持する。
【００８９】
このように、本発明の自動排水装置Ａは、コントローラ６１により排水栓１０の開閉動作と浴槽９への給・排水を的確に制御できるため、操作者は操作パネル６０上の給・排水スイッチ６０ａ、６０ｂを任意に投入することにより、確実に排水栓１０の開閉操作を行って浴槽９内に湯水を給・排水することができる。その結果、例えば、排水栓１０の開栓状態に気づかずに浴槽９へ給水を行なって、水を無駄にしてしまうといった問題は確実に防止することができる。
【００９０】
また、前記操作パネル６０にＬＥＤ等の発光素子からなる表示手段６３を備え、該表示手段６３の灯火状態を変化させることにより、前記排水栓１０の開閉状態をより確実に操作者に認識させるようにしてもよい。
【００９１】
さらに、磁性部材３７を従動部材３３に取付け、磁性部材３７の磁束を検知する位置検出手段４３とこれに接続される電気信号線を駆動部収容筐２３内に収容した場合、位置検出手段４３が外気にさらされて劣化するといった問題を防止することができる。
【００９２】
なお、図１４の制御装置を図１２に示す自動排水装置に利用する場合は、図１４に示すコントローラ６１は、リードスイッチ４３ａが投入状態にあるとき排水栓１０が閉栓していると認識し、リードスイッチ４３ａが開放状態にあるとき排水栓１０が開栓していると認識するように設計する必要がある。
【００９３】
また、図１２に示す自動排水装置は従動部材３３に取付けた磁性部材３７ａが、筐体５８内に配置したリードスイッチ４３ａに対して平行に動作する、いわゆる接近型に配置されたものであるため、図２に示すように、リードスイッチ４３ａに対して磁性部材３７ａが垂直に動作する、いわゆる通過型配置のものと比較して磁性部材３７ａの磁力の検出感度を向上させ、装置の信頼性を飛躍的に上昇させることができる。
【００９４】
以上説明したように、本発明の自動排水装置は、動力変換手段と連結軸の間に、従動部材を揺動不能に挟持させたため、従動部材に当接させる連結軸は先端の形状に制約が少なく、容易に既存の浴槽排水装置の部品から連結軸を流用することができ、ひいてはガイド筒や操作ワイヤ、そして被覆部材他、これより排水栓側の部品も既存の浴槽排水装置の部品を流用することができるため、新作部材を最小限に留めながら自動排水装置を構成することができる。
【００９５】
また、本発明の自動排水装置は、従動部材の回転動作を防止するガイド板を備えて構成したので、前記従動部材に磁性部材を備えた場合、前記磁性部材は前記ガイド板の存在により真下に下降し、位置検出手段の正面位置に確実に降下することができ、磁性部材の磁力を良好に検出することができる。
【００９６】
さらに、本発明の自動排水装置は、被係合部材の回動を防止する筐体を取付けることにより、前記被係合部材の上下動によるガタツキを解消し、係合溝から係合部材のアーム部４１ａが外れたり、前記ガタツキにより騒音が発生することを確実に防止することができる。
【００９７】
また、本発明の自動排水装置は、従動部材の上面に磁性部材を備え、筐体内に磁性部材の磁力を検知する位置検出手段を配置することによって、前記磁性部材の磁力を接近型の配置で検出することができ、検出感度を飛躍的に向上することができる。
【００９８】
さらに、本発明の自動排水装置は、排水栓に不要な加重が加わって、前記排水栓を良好に開栓できない場合や、排水流の圧力により排水栓が急激に閉栓する場合に、手動または電動による動力が必要以上に排水栓に伝達されることを回避する手段、または、排水栓の閉栓によって操作軸が強制的に上動することを回避する手段を備えて構成したので、動力変換手段や操作ワイヤおよび被覆部材が損傷したり故障したりすることを確実に防止できる。
【００９９】
【発明の効果】
請求項１に記載した自動排水装置は、手動または電動操作により操作ワイヤを介して排水栓を開閉操作する機構を比較的簡素で容易な構造にて実現できるとともに、前記従動部材に当接させる連結軸の先端の形状に制約が少なく、容易に既存の浴槽排水装置の部品（連結軸、ガイド筒、操作ワイヤ、被覆部材そして排水栓他）を流用することができるため、新作部材を最小限に留めながら自動排水装置を構成することができる。
【０１００】
また、請求項１に記載した自動排水装置は、従動部材に複数のガイド板を突設して構成したので、前記従動部材は操作軸の上下動に連動して、揺動することなく良好に上下動することが可能となり、装置の信頼性を向上することができる。
【０１０１】
請求項２に記載した自動排水装置は、磁性部材を従動部材の側面に取付けることにより、前記磁性部材の磁力を検知する位置検出手段を前記従動部材が最上端に達したとき、磁性部材と対向する位置に配置することができるので、前記位置検出手段に接続する電気信号線を駆動部収容筺内に配置することができ、前記位置検出手段および電気信号線が外気に接触して劣化・損傷するという問題を確実に防止することができる。
【０１０２】
請求項３に記載した自動排水装置は、従動部材に取付けた磁性部材と、磁性部材の磁力を検知する位置検出手段をいわゆる接近型に配置することができるため、位置検出手段における磁力検知の感度を飛躍的に向上することができ、排水栓の開閉不良を確実に
【０１０３】
請求項４に記載した自動排水装置は、筺体により被係合部材の回動を抑制することができるため、前記被係合部材が上下動の際にガタつくというようなことがなく、係合溝から係合部材のアーム部が外れるなどの問題を確実に防止することができ、装置の信頼性を向上することができる。
【０１０４】
請求項５に記載した自動排水装置は、排水栓の開栓あるいは閉栓途中において、排水栓に外部から強制的に押圧する荷重が加えられた場合、連結軸の反抗力が所定値以上となったときに前記連結軸とともにガイド筒を降下させることによって、過大な荷重が電動機や操作部を構成する各種部品に加わることを防ぐため、操作部の破損や故障を防止し、信頼性を格段に向上させることができる。
【０１０５】
請求項６に記載した自動排水装置は、ガイド筒と第２のばね部材との間に滑動自在な材質よりなるスペーサを介在したため、操作部の組立で袋ナットを収容筒下部に螺合させる際、前記第２のばね部材および操作ワイヤが捩れにくく、組立性が向上する。また、前記スペーサの介在により、前記第２のばね部材をガイド筒の形状に関係なく取付けることが可能となり、ガイド筒を既存の排水栓の部品から流用する際、形状の制約が少なくなる。
【０１０６】
請求項７に記載した自動排水装置は、排水栓の上下動作長以上のストロークで操作軸を上下動可能に動力変換手段を構成したので、排水栓の開閉操作時における操作ワイヤび曲がりおよび被覆部材の伸びに起因した排水栓のストローク不足を解消し、確実に前記排水栓を開栓または閉栓することができる。
【図面の簡単な説明】
【図１】本発明の自動排水装置を示す構成図である。
【図２】本発明の自動排水装置を構成する操作部の要部切欠断面である。
【図３】前記操作部を構成する従動部材を抽出して示す拡大図である。
【図４】前記操作部を構成する動力変換手段を抽出して示す拡大図である。
【図５】前記操作部を側面から見た外観図である。
【図６】前記操作部を電動により動作させた状態を示す動作説明図である。
【図７】本発明の自動排水装置を構成する排水栓とロック機構との結合状態を示す断面図である。
【図８】排水栓を開栓ロックした状態を示す説明図である。
【図９】前記ロック状態における操作部の状態を示す説明図である。
【図１０】前記操作部を手動により動作させた状態を示す動作説明図である。
【図１１】排水栓に不要な加重が加わった状態で、前記操作部を電動により動作させた状態を示す動作説明図である。
【図１２】本発明の請求項５記載の自動排水装置を構成する操作部の要部切欠き断面である。
【図１３】本発明の請求項５記載の自動排水装置を構成する操作部の要部切欠き断面である。
【図１４】本発明の自動排水装置の制御装置を示すブロック図である。
【図１５】前記制御装置における制御データテーブルである。
【符号の説明】
９  浴槽
９ａ  リム部最上縁
１０  排水栓
１１  操作部
１２  ロック機構
１３  操作ワイヤ
１４  挿通管
１６  排水管
１７  案内筒
１７ａ  軸通孔
１７ｂ  掛止片
１８  嵌込孔
１９  手動ボタン
２０  操作軸
２１  収容筒
２１ａ  下端狭隘部
２１ｂ  張出部
２３  駆動部収容筐
２４  締付ねじ
２５  袋ナット
２５ａ  突出片
２６  ガイド筒
２６ａ  円板部
２６ｂ  筒部
２７  第２のばね部材
２９  被覆部材
２９ａ  孔部
３０  挿通口
３１  第１のばね部材
３２  連結軸
３２ａ  傘部
３３  従動部材
３３ａ  台座
３３ｂ  ガイド板
３４  電動機
３５  出力軸
３５ｂ  Ｏリング
３６  回転防止ガイド板
３７，３７ａ  磁性部材
３８，３８ａ  動力変換手段
３９，３９ｂ  被係合部材
３９ａ  凹溝
４０  止輪
４１  係合部材
４１ａ  アーム部
４１ｂ  支持部
４１ｃ  鍵溝
４２  係合溝
４２ａ  底面
４２ｂ  下面
４３ｃ  上面
４３  ４３ａ  位置検出手段
４６  パッキン
４７  防水用パッキン
４８  本体筒
４９  止ねじ
５０  ガイド片
５０ｂ，５３ｂ，５４ｂ  噛合歯
５１  軸杆
５２  押動杆
５３  止着環
５３ａ，５４ａ  突片
５４  可動環
５５  鍔片
５６  ばね部材
５７  取付孔
５８  筐体
５８ａ  筐体鍔片
５９  嵌合溝
６０  操作パネル
６０ａ  給水スイッチ
６０ｂ  排水スイッチ
６１  コントローラ
６３  開閉表示手段
６４  ライナ
６５  スペーサ
６６  通水孔
Ａ  自動排水装置
【図１】
0004078012.tif 000002
【図２】
0004078012.tif 000003
【図３】
0004078012.tif 000004
【図４】
0004078012.tif 000005
【図５】
0004078012.tif 000006
【図６】
0004078012.tif 000007
【図７】
0004078012.tif 000008
【図８】
0004078012.tif 000009
【図９】
0004078012.tif 000010
【図１０】
0004078012.tif 000011
【図１１】
0004078012.tif 000012
【図１２】
0004078012.tif 000013
【図１３】
0004078012.tif 000014
【図１４】
0004078012.tif 000015
【図１５】
0004078012.tif 000016